(57)【要約】【課題】  後部に周壁のないスリッパに、低コストでスリッパ内が常に清潔に保てる片面段ボール製の使い捨てスリッパ中敷を提供する。【解決手段】  後部に周壁を有せず、前部に足覆いを有するスリッパの足載せ面に装着する紙製の中芯とライナーで構成する片面段ボール２製の中敷であって、スリッパ足載せ面形状に成形したスリッパ中敷１の中芯面を足載せ面とし、装着時に足覆い部分にかからないライナー面に、任意の幅と長さのソフトゴムベルト３を輪状にして定着する。【選択図】図１
2016214548.tif 000002
【特許請求の範囲】
【請求項１】
後部に周壁を有せず、前部に足覆いを有するスリッパの足載せ面に装着する紙製の中芯とライナーで構成する片面段ボール製の中敷であって、スリッパ足載せ面形状に成形した中敷の中芯面を足載せ面とし、装着時に足覆い部分にかからないライナー面に、任意の幅と長さのソフトゴムベルトを輪状にして定着したことを特徴とするスリッパ中敷。
【請求項２】
ライナー面に定着した輪状のソフトゴムベルトの中央を切断して帯状とし、左右を任意の寸法長くして片側の表面に任意の寸法で剥離可能な両面テープを設けたことを特徴とする請求項１に記載のスリッパ中敷。
【請求項３】
ソフトゴムベルトを、ソフトゴムベルトと同等以上の材質及び性能を有する合成樹脂製等他の素材に変更したことを特徴とする請求項１乃至２に記載のスリッパ中敷。
【発明の詳細な説明】
【技術分野】
【０００１】
本発明は、後部に周壁を有せず、前部に足覆いを有するスリッパに装着する適時容易に取替可能な片面段ボール製のスリッパ中敷に関するものである。
【背景技術】
【０００２】
スリッパ、靴、サンダル等は同じ履物であっても主に足の裏を清潔に保つ為に使用される中敷は靴用が主で数多くの種類が市販され多くの人に愛用されているがスリッパ、サンダル用については具体的な物は目にすることは少ない。スリッパは、個人が主に家庭内で使用する場合と、各種施設、宿泊施設，病院、医院等で不特定多数の人が使用する場合に大別されるが、通常、そのまま使用する場合が多く、特に、不特定多数の人が使用するスリッパは、洗いにくいことあり仮に使用後にスプレー噴霧で表面及び内部を消毒しても完全ではなく、表面及び足覆い内部は不潔な状態で白癬菌、皮膚病等の各種細菌が付着している可能性が高く使用を躊躇う清潔感の強い人も多くいる。常に清潔な状態で使用する為には靴中敷と同様にスリッパ中敷を持参してその都度用いることが最善であると考えられるが、靴と違い後方に周壁がないのでそのままでは安定させることができない。
【０００３】
現在、市販又は各種提案されているスリッパ用の中敷は、個人が継続して使用する場合には靴中敷と同様に使用状態を見ながら一定期間スリッパ内に装着するのに対して、各種施設、宿泊施設，病院、医院等で使用のスリッパはその都度スリッパ中敷を入れ替えることが理想であるが、常時備え付けておく手間、費用等で特殊な場合を除いては難しい。対策として、個人が出歩く際にそれぞれの場所のスリッパに容易に装着と取り外しができるスリッパ中敷を用意しておけば共用スリッパが瞬時にマイスリッパに変身する。従って、それぞれに対応できる使い捨てを前提とした安価なスリッパ中敷が求められている。
【０００４】
本発明者は、先に、上記問題点を解決するスリッパ等の中敷として、中芯の段目と平板のライナーよりなる片面段ボールを用い、段目を足載せ面としたスリッパやサンダル形状に成形した中敷において、ライナー面を履物の足載せ面に剥離可能に接着したことを特徴とするスリッパ等の中敷を提案している（例えば特許文献１参照）。又、この中敷の足覆いにくる部分の幅を履物の足覆いの幅より広くして装着時に中敷を足覆いの両側で挟み付け、中敷の位置がずれ難くしたことを特徴とするスリッパ等の中敷を提案している（例えば特許文献２参照）。他に、ホテル、旅館、病院等で使用されるナイロンスリッパに使用するスリッパの形状に裁断したシートで防水加工及び裏面に特殊糊を付けたスリッパ中敷清潔シートが市販されている（例えば特許文献３参照）又、スリッパに挿入して使用する使い捨てインソールであって、底部とカバー部が一体として１枚のシートで構成されており、材質は紙又は不織布であって殺菌処理されたスリッパ中敷が提案されている（例えば特許文献４参照）
【先行技術文献】
【特許文献】
【０００５】
【特許文献１】特開平０９−０３７８０６
【特許文献２】特開平１０−０１４６０６
【特許文献３】実登３０１７２１７
【特許文献４】特開２０１０−０７５２６２
【発明の概要】
【発明が解決しようとする課題】
【０００６】
発明が解決しようとする課題は、先に、本発明者が提案しているスリッパ等の中敷を詳細に検討した結果、特許文献１においては、スリッパ等の中敷と足載せ面とを剥離可能に接着するテープが要求通りに作用すれば最適であるが、市販の各種両面テープで試作して試着した結果、時間の経過に伴って接着力が弱まり外れることがあり、繰り返しての使用は接着力が弱くなり不可能となることが判明した。又、テープの接着剤が足載せ面に残る場合もある。従って、形態としては問題ないが、テープを選定することが最重要課題となるが現時点において市販品では対応困難と考える。特許文献２は、スリッパ等の中敷の前方の幅を履物の足覆い部分の幅より広くして装着時に中敷の位置がずれ難くした形態としているが，試用結果では、スリッパ等の中敷の幅広部分のみで足覆い部分に挟み付けるだけでは歩き方によっては安定せず長時間の使用には不向きであり他に何らかの方法にてスリッパ中敷と足載せ面を接合する必要があることが判明した。特許文献３のスリッパの形状に裁断したシートは特定の場所で使用する１回限りの使い捨てで使用感と安定性に欠けると推測されると共に単価も１足分が２０円以上と割高である。特許文献４のスリッパ中敷は底部とカバー部が一体として１枚のシートでの構成では使用の際にスリッパ内への挿入が容易でないのと、使用時での安定性に欠けることが推測される。以上の提案されているスリッパ等の中敷は使い捨てを前提としたものであるが、ある期間連続して使用するのと、その都度取り替えて使用するのに大別されるので、共用できる形態で安価にて提供することが解決する為の課題となる。
【課題を解決するための手段】
【０００７】
上記の課題を解決するための手段は、後部に周壁を有せず、前部に足覆いを有するスリッパの足載せ面に装着する紙製の中芯とライナーで構成する片面段ボール製の中敷であって、スリッパ足載せ面形状に成形した中敷の中芯面を足載せ面とし、装着時に足覆い部分にかからないライナー面に、任意の幅と長さのソフトゴムベルトを輪状にして定着する。
【０００８】
ライナー面に定着した輪状のソフトゴムベルトの中央を切断して帯状とし、左右を任意の寸法長くして片側の片面に任意の寸法で剥離可能な両面テープを設ける。
【発明の効果】
【０００９】
本発明のスリッパの中敷は、紙製の中芯とライナーで構成する片面段ボールシートを用い、中芯を足裏に接する面とすることにより、中芯の段目が足裏を適度に刺激すると共に、素材の紙が吸湿，吸臭性も有しているので必要に応じて取り替えれば常に清潔が保て、安価にて提供することができる。又、片面段ボールシートは他の不織布、紙等と異なり厚みと腰と柔軟性により履き心地には大差がある。スリッパ内への装着は、輪状のソフトゴムバンドを用いた中敷はソフトゴムバンドを両手で伸ばしてスリッパ後部へ差し込むだけでよく、帯状のソフトゴムバンドを用いた中敷はソフトゴムバンド同士を両面テープで固定することによりどちらも容易に装着することができ取り外した時に他のスリッパ中敷と違って糊あとが残らない。従って、常時家庭内でのスリッパに使用できると共に、外出時に持ち歩けば共同使用のスリッパが瞬時にマイスリッパに変身する。取替は中敷表面の段潰れ、汚れ、摩耗等の状態で判断するが、靴中敷と違って使用中の負荷が少ないので水濡れ、極端な汚れがなければ数ヶ月は使用できる。
【図面の簡単な説明】
【００１０】
【図１】スリッパ中敷に輪状ソフトゴムベルトを定着した平面図である。
【図２】輪状ソフトゴムベルト付スリッパ中敷をスリッパに装着した側面図である。
【図３】スリッパ中敷に帯状ソフトゴムベルトを定着した平面図である
【図４】帯状ソフトゴムベルト付スリッパ中敷をスリッパに装着した側面図である。
【発明を実施するための形態】
【００１１】
紙製で、一定間隔で波形（中芯）の片側頂部に貼着した平板のライナーで構成された片面段ボールシートをスリッパ足載せ面の形状に成形し、装着時に足覆い部分にかからないライナー面に、任意の幅と長さのソフトゴムベルトを輪状又は帯状片側の片面に剥離可能な両面テープを設けてそれぞれ定着した形態とする。
【実施例１】
【００１２】
以下、本発明の実施例を図面に基づいて説明する。図１はスリッパ中敷に輪状ソフトゴムベルトを定着した平面図、図２は輪状ソフトゴムベルト付スリッパ中敷をスリッパに装着した側面図である。片面段ボールシート２の中芯面２ａの段目を斜めにしてスリッパの足載せ面形状に成形したスリッパ中敷１に、スリッパ装着時足覆い部分にかからないライナー面２ｂに任意の幅と長さのソフトゴムベルト３を輪状にして定着したものである。スリッパ中敷１に使用の片面段ボールシート２は紙製で波形に成形された中芯の頂部に平板のライナーを専用機械で連続貼合して製造でき安価にて入手することができる。又、中芯の段は足の裏を適度に刺激するので気持ちがよく紙が汗、臭いを吸収するので水虫の予防にもなる。中芯面２ａの段目の向きは、本図では斜めとしているが、これはスリッパを履いたり脱いだりする時に足裏に抵抗が少ない。仮に横であると脱ぐ時足裏に一緒付いて出る可能性が高いが段目の方向は縦、横、斜めいずれであってもよい。スリッパ装着用の輪状ソフトゴムベルト３は、トレーニングパンツ、トランクス、パジャマ等の替えゴム用として市販されており安価にて入手でき性能面においても十分に対応でき加工性も優れている。輪状ソフトゴムベルト付スリッパ中敷のスリッパへの装着は輪状ソフトゴムベルト３を両手で伸ばしてスリッパ後部よりスリッパ内へ差し込むことによりワンタッチ感覚で容易に装着することができる。この場合において輪状ソフトゴムベルト３がスリッパ中敷１をしっかりとスリッパ足載せ面へ圧着状態とするので安易にズレたり外れたりすることはない。取り外しも輪状ソフトゴムベルト３を両手で伸ばして後方に引き出せば容易に外すことができるが、スリッパ底部の汚れが気になる人は手袋を別途用意しておくとよい。尚、輪状ソフトゴムベルト３は装着時において縦方向に伸びてスリッパ中敷１が後方に多少ずれることがあるが，幅広（２５ｍｍ以上）を使用すれば防止できる可能性が高い。スリッパ中敷１へ輪状のソフトゴムベルト３の定着方法はしっかりと固定できるのであれば接着、縫合、溶着、圧着等いずれの方法であってもよい。
【実施例２】
【００１３】
図３はスリッパ中敷に帯状ソフトゴムベルトを定着した平面図、図４は帯状ソフトゴムベルト付スリッパ中敷をスリッパに装着した側面図である。図１と同様に成形したスリッパ中敷１のライナー面２ａに、帯状にした帯状ソフトゴムベルト４の中間部分を定着し、端部片側の片面に剥離可能な両面テープ５を任意の寸法に設けたものである。帯状ソフトゴムベルト付スリッパ中敷のスリッパへの装着はスリッパ中敷１をスリッパ足載せ面に挿入した後、両面テープ無しの帯をスリッパ底部へ引っ張って置き、その上に他方の両面テープ付帯の剥離紙を剥がした後、帯を伸長させた状態で帯同士を接着する。接着面は歩行の都度足裏の圧力がかかるので剥離する可能性は少ない。この場合、帯状ソフトゴムベルト４の巻き付けが不十分であると中敷が後方へずれたりテープが外れたりする恐れがあり、又、両面テープ５は使用回数に比例して性能が劣化するので注意が必要である。対策としては両面テープ片を別途複数枚用意しておくことが考えられる。尚、スリッパ中敷の装着にはソフトゴムベルトを用いているが、他に同等以上の材質及び性能を有し安価にて入手できる合成樹脂製等の素材があればこれらを使用してもよい。
【産業上の利用可能性】
【００１４】
スリッパをそのままでの使用では内部が長期間使用したり不特定多数の人が使用したりして不潔となるが、本発明のスリッパの中敷は、安価にて提供することができる片面段ボールシートとソフトゴムベルトを用い、定期的に取替使用することによりスリッパ内部を常に清潔な状態に保つことが可能なので各方面での利用が期待できる。
【符号の説明】
【００１５】
１    スリッパ中敷
２    片面段ボール
２ａ  中芯面
２ｂ  ライナー面                  
３    輪状ソフトゴムベルト                  
４    帯状ソフトゴムベルト
５    両面テープ
【図１】
2016214548.tif 000003
【図２】
2016214548.tif 000004
【図３】
2016214548.tif 000005
【図４】
2016214548.tif 000006